【手続補正書】
【提出日】平成16年7月28日(2004.7.28)
【手続補正１】
【補正対象書類名】明細書
【補正対象項目名】特許請求の範囲
【補正方法】変更
【補正の内容】
【特許請求の範囲】
【請求項１】
式（１）：
【化１】
1998088021.tif 000001
で示される染料の少なくとも１種、並びに式（２）及び（３）：
【化２】
1998088021.tif 000002
（式中、
Ｒ1 、Ｒ2 、Ｒ3 、Ｒ4 及びＲ6 は、それぞれ互いに独立して、水素、又は非置換若しくは置換Ｃ1 〜Ｃ4 アルキルであり；
Ｒ5 は、水素、非置換若しくは置換Ｃ1 〜Ｃ6 アルキル、Ｃ5 〜Ｃ7 シクロアルキル、又はフェニル若しくはナフチル（これらは、非置換であるか、あるいはＣ1 〜Ｃ4 アルキル、Ｃ1 〜Ｃ4 アルコキシ、Ｃ2 〜Ｃ4 アルカノイルアミノ、カルボキシル、スルホ、カルバモイル、ウレイド若しくはハロゲン、又は式−ＳＯ2 −Ｚ（式中、Ｚは、式−ＣＨ＝ＣＨ2 −又は−ＣＨ2 −ＣＨ2 −Ｙの基であり、Ｙは、脱離基である）の基により置換されている）であるか、あるいは−Ｎ（Ｒ4)−Ｒ5 の基は、更にヘテロ原子を含んでもよい環であり；
Ｒ7 は、非置換若しくは置換Ｃ1 〜Ｃ6 アルキル、Ｃ2 〜Ｃ4 アルケニル、フェニル又はナフチルであり；
Ｘ1 及びＸ2 は、それぞれ互いに独立して、ハロゲン、ヒドロキシル、Ｃ1 〜Ｃ4 アルコキシ、Ｃ1 〜Ｃ4 アルキルチオ、アミノ；Ｎ−モノ−若しくはＮ，Ｎ−ジ−Ｃ1 〜Ｃ4 アルキルアミノ（これらは、アルキル部分において、置換されていてもよい）、又はＣ5 〜Ｃ7 シクロアルキルアミノ（これは、シクロアルキル環において置換されていてもよい）、又はフェニルアミノ若しくはＮ−Ｃ1 〜Ｃ4 アルキル−Ｎ−フェニルアミノ（これは、アリ−ル部分において、置換されていてもよい）、モルホリノ又はピペリジン−１−イルであり；そして
Ａ1 、Ａ2 、Ａ3 及びＡ4 は、それぞれ互いに独立して、モノアゾ、ジアゾ、ポリアゾ、金属錯体アゾ、アントラキノン、ホルマザン、フタロシアニン又はジオキサジン染料の基である）で示される染料の少なくとも１種を含むことを特徴とする染料混合物。
【請求項２】
Ａ1 、Ａ2 、Ａ3 及びＡ4 が、それぞれ互いに独立して、式（４）：
【化３】
1998088021.tif 000003
（式中、
（Ｒ8)0-3 は、Ｃ1 〜Ｃ4 アルキル、Ｃ1 〜Ｃ4 アルコキシ；Ｃ2 〜Ｃ4 アルカノイルアミノ（これは、アルキル部分において、ヒドロキシル若しくはＣ1 〜Ｃ4 アルコキシにより置換されていてもよい）；ハロゲン、ヒドロキシル、シアノ、カルバモイル、カルボキシル、スルホ、アミノ、ウレイド、及びＮ−モノ−若しくはＮ，Ｎ−ジ−Ｃ1 〜Ｃ4 アルキルアミノからなる群から選択される、０〜３個の同一又は異なる置換基であり；そして
Ｋ1 は、ベンゼン若しくはナフタレン系列の基、又は複素環式基である）で示される基；又は式（５）：
【化４】
1998088021.tif 000004
（式中、
（Ｒ9)0-3 及び（Ｒ10)0-3は、それぞれ互いに独立して、Ｃ1 〜Ｃ4 アルキル、Ｃ1 〜Ｃ4 アルコキシ；Ｃ2 〜Ｃ4 アルカノイルアミノ（これは、アルキル部分において、ヒドロキシル若しくはＣ1 〜Ｃ4 アルコキシにより置換されていてもよい）；ハロゲン、ヒドロキシル、シアノ、カルバモイル、カルボキシル、スルホ、アミノ、ウレイド、及びＮ−モノ−若しくはＮ，Ｎ−ジ−Ｃ1 〜Ｃ4 アルキルアミノからなる群から選択される、０〜３個の同一又は異なる置換基であり；そして
Ｋ2 は、ベンゼン若しくはナフタレン系列の基、又は複素環式基である）で示される基；又は式（６）：
【化５】
1998088021.tif 000005
（式中、
Ｇは、フェニレン基（これは、非置換であるか、又はＣ1 〜Ｃ4 アルキル、Ｃ1 〜Ｃ4 アルコキシ、Ｃ2 〜Ｃ4 アルカノイルアミノ、ハロゲン、カルボキシル、スルホ若しくはウレイドにより置換されている）、又はシクロヘキシレン、フェニレンメチレン若しくはＣ2 〜Ｃ6 アルキレン基である）で示される基である、請求項１記載の染料混合物。
【請求項３】
Ａ1 、Ａ2 、Ａ3 及びＡ4 が、それぞれ互いに独立して、式（７）、（８）又は（９）：
【化６】
1998088021.tif 000006
（式中、
（Ｒ8)0-3 、（Ｒ9)0-3 及び（Ｒ10)0-3は、Ｃ1 〜Ｃ4 アルキル、Ｃ1 〜Ｃ4 アルコキシ；Ｃ2 〜Ｃ4 アルカノイルアミノ（これは、アルキル部分において、ヒドロキシル若しくはＣ1 〜Ｃ4 アルコキシにより置換されていてもよい）；ウレイド、ハロゲン及びスルホからなる群から選択される、０〜３個の同一又は異なる置換基であり；
（Ｒ11)0-3は、Ｃ1 〜Ｃ4 アルキル、Ｃ1 〜Ｃ4 アルコキシ、Ｃ2 〜Ｃ4 アルカノイルアミノ、ハロゲン、カルボキシル、ウレイド及びスルホからなる群から選択される、０〜３個の同一又は異なる置換基であリ；そして
Ｋ1 及びＫ2 は、それぞれ互いに独立して、式（１０）：
【化７】
1998088021.tif 000007
（式中、
Ｒ12は、メチル又はカルボキシルであり；
Ｒ13は、アミノ又はヒドロキシルであり；そして
（Ｒ14)0-3は、Ｃ1 〜Ｃ4 アルキル、Ｃ1 〜Ｃ4 アルコキシ、Ｃ2 〜Ｃ4 アルカノイルアミノ、ウレイド、ハロゲン、カルボキシル及びスルホからなる群から選択される、０〜３個の同一又は異なる置換基である）で示される基である）で示される基；又は式（１１）：
【化８】
1998088021.tif 000008
（式中、
Ｒ15は、水素、Ｃ1 〜Ｃ8 アルキル、又はフェニル（これは、非置換であるか、又はＣ1 〜Ｃ4 アルキル、Ｃ1 〜Ｃ4 アルコキシ、Ｃ2 〜Ｃ4 アルカノイルアミノ、ウレイド、ハロゲン若しくはスルホにより置換されている）であり；
Ｒ16は、水素又はＣ1 〜Ｃ8 アルキルであり；そして
（Ｒ17)0-3は、Ｃ1 〜Ｃ4 アルキル、Ｃ1 〜Ｃ4 アルコキシ、Ｃ2 〜Ｃ4 アルカノイルアミノ、ウレイド、ハロゲン及びスルホからなる群から選択される、０〜３個の同一又は異なる置換基である）で示される基；又は式（１２）：
【化９】
1998088021.tif 000009
（式中、
Ｒ18は、水素又はＣ1 〜Ｃ4 アルキルであり、
Ｒ19は、水素、シアノ、カルバモイル又はスルホメチルであり；そして
Ｒ20は、水素、Ｃ1 〜Ｃ4 アルキル、又はフェニル（これは、非置換であるか、又はＣ1 〜Ｃ4 アルキル、Ｃ1 〜Ｃ4 アルコキシ、Ｃ2 〜Ｃ4 アルカノイルアミノ、ウレイド、ハロゲン若しくはスルホにより置換されている）である）で示される基；又は式（１３）：
【化１０】
1998088021.tif 000010
（式中、
（Ｒ21)0-3は、Ｃ1 〜Ｃ4 アルキル、Ｃ1 〜Ｃ4 アルコキシ、Ｃ2 〜Ｃ4 アルカノイルアミノ、ウレイド、ハロゲン及びスルホからなる群から選択される、０〜３個の同一又は異なる置換基であり；そして
Ｒ22は、水素、又は非置換若しくはヒドロキシル置換Ｃ1 〜Ｃ4 アルキルである）で示される基；又は式（１４）：
【化１１】
1998088021.tif 000011
（式中、
（Ｒ23)0-3は、Ｃ1 〜Ｃ4 アルキル、Ｃ1 〜Ｃ4 アルコキシ、Ｃ2 〜Ｃ4 アルカノイルアミノ、ウレイド、ハロゲン及びスルホからなる群から選択される、０〜３個の同一又は異なる置換基であり；そして
Ｒ24及びＲ25は、それぞれ互いに独立して、水素、あるいは、Ｃ1 〜Ｃ4 アルキル（これは、非置換であるか、又はシアノ、ヒドロキシル、フェニル若しくはＣ5 〜Ｃ7 シクロアルキル（ここで、フェニル基は、非置換であるか、又はＣ1 〜Ｃ4 アルキル、Ｃ1 〜Ｃ4 アルコキシ、Ｃ2 〜Ｃ4 アルカノイルアミノ、ウレイド、ハロゲン若しくはスルホにより置換されており、Ｃ5 〜Ｃ7 シクロアルキル基は、非置換であるか、又はＣ1 〜Ｃ4 アルキルに置換されている）で置換されている）、又はフェニル（これは、非置換であるか、又はＣ1 〜Ｃ4 アルキル、Ｃ1 〜Ｃ4 アルコキシ、Ｃ2 〜Ｃ4 アルカノイルアミノ、ウレイド、ハロゲン、カルボキシル、ヒドロキシル若しくはスルホにより置換されている）である）で示される基；又は式（１５）：
【化１２】
1998088021.tif 000012
（式中、
Ｒ26は、水素、アミノ、Ｎ−モノ−若しくはＮ，Ｎ−ジ−Ｃ1 〜Ｃ4 アルキルアミノ、又はフェニルアミノ（これは、フェニル環において、Ｃ1 〜Ｃ4 アルキル、Ｃ1 〜Ｃ4 アルコキシ、Ｃ2 〜Ｃ4 アルカノイルアミノ、ウレイド、ハロゲン若しくはスルホにより置換されていてもよい）であり；そして
Ｒ27は、水素、Ｃ1 〜Ｃ4 アルキル、Ｃ1 〜Ｃ4 アルコキシ、Ｃ2 〜Ｃ4 アルカノイルアミノ、ウレイド、ハロゲン若しくはヒドロキシルである）で示される基である、請求項１または２項記載の染料混合物。
【請求項４】
Ａ1 、Ａ2 、Ａ3 及びＡ4 が、それぞれ互いに独立して、式（１６）：
【化１３】
1998088021.tif 000013
又は式（９）：
（式中、
（Ｒ8)0-2 は、Ｃ1 〜Ｃ4 アルキル、Ｃ1 〜Ｃ4 アルコキシ、Ｃ2 〜Ｃ4 アルカノイルアミノ、ウレイド及びスルホからなる群から選択される、０〜２個の同一又は異なる置換基であり；
（Ｒ11)0-3は、Ｃ1 〜Ｃ4 アルキル、Ｃ1 〜Ｃ4 アルコキシ及びハロゲンからなる群から選択される、０〜３個の同一又は異なる置換基であり；そして
Ｋ1 は、式（１７）：
【化１４】
1998088021.tif 000014
（式中、
Ｒ12は、メチル又はカルボキシルであり；
Ｒ13は、アミノ又はヒドロキシルであり；そして
（Ｒ14)0-2は、Ｃ1 〜Ｃ4 アルキル、Ｃ1 〜Ｃ4 アルコキシ、Ｃ2 〜Ｃ4 アルカノイルアミノ、ウレイド、ハロゲン及びスルホからなる群から選択される、０〜２個の同一又は異なる置換基である）で示される基である）で示される基；又は式（１８）：
【化１５】
1998088021.tif 000015
（式中、
Ｒ16は、水素又はＣ1 〜Ｃ4 アルキルであり；そして
Ｒ28は、水素、Ｃ1 〜Ｃ4 アルキル、Ｃ1 〜Ｃ4 アルコキシ、Ｃ2 〜Ｃ4 アルカノイルアミノ又はハロゲンである）で示される基；又は式（１２）：（式中、Ｒ18は、水素又はＣ1 〜Ｃ4 アルキルであり、Ｒ19は、水素であり、そして
Ｒ20は、水素、Ｃ1 〜Ｃ4 アルキル、又はフェニル（これは、非置換であるか、又はＣ1 〜Ｃ4 アルキル、Ｃ1 〜Ｃ4 アルコキシ、Ｃ2 〜Ｃ4 アルカノイルアミノ、ウレイド、ハロゲン若しくはスルホにより置換されている）の基である）で示される基；又は式（１９）：
【化１６】
1998088021.tif 000016
（式中、
（Ｒ21)0-2は、Ｃ1 〜Ｃ4 アルキル、Ｃ1 〜Ｃ4 アルコキシ、Ｃ2 〜Ｃ4 アルカノイルアミノ、ウレイド、ハロゲン及びスルホからなる群より選択される、０〜２個の同一又は異なる置換基であり；そして
Ｒ22は、水素又はＣ1 〜Ｃ4 アルキルである）で示される基；又は式（２０）：
【化１７】
1998088021.tif 000017
（式中、
Ｒ23は、水素、Ｃ1 〜Ｃ4 アルキル、Ｃ1 〜Ｃ4 アルコキシ、Ｃ2 〜Ｃ4 アルカノイルアミノ又はハロゲンであり；そして
Ｒ24は、水素又はＣ1 〜Ｃ4 アルキルである）で示される基；又は式（２１）若しくは（２２）：
【化１８】
1998088021.tif 000018
（式中、
Ｒ29は、水素又はヒドロキシルである）で示される基である、請求項１〜３のいずれか１項記載の染料混合物。
【請求項５】
請求項１〜４のいずれか１項記載の染料混合物を含む染料を用いて浸染又は捺染したヒドロキシル基含有繊維材料又は窒素含有繊維材料。